(57)【要約】      （修正有）【課題】ペットとして接してきた動物を火葬するに際して用いる段ボール製棺であって、湿気に対する耐久性が高いペット用棺を提供する。【解決手段】開口を有する棺本体２１と、前記開口を塞ぐ棺用ふた１１と、を含んで構成されている段ボール製棺であって、棺本体２１および棺用ふた１１の少なくとも一方が、ウレタン製樹脂塗料により塗装されているペット用棺である。棺本体２１および棺用ふた１１が、段ボール製であることから、棺の重量を軽くすることができるとともに、火葬の時間を短縮できる。また、棺本体２１および棺用ふた１１が、ウレタン製樹脂塗料により塗装されていることにより、結露等により段ボールのシートが柔らかくなるのを防止できる。【選択図】図１
0003211357.tif 000002
【実用新案登録請求の範囲】
【請求項１】
開口を有する棺本体と、
前記開口を塞ぐ棺用ふたと、を含んで構成されている段ボール製棺であって、
前記棺本体および前記棺用ふたの少なくとも一方が、ウレタン製樹脂塗料により塗装されている、
ことを特徴とするペット用棺。
【請求項２】
前記棺本体の側面には、持ち上げ用の手掛凹部が設けられている、
ことを特徴とする請求項１記載のペット用棺。
【請求項３】
前記棺本体は、
前記棺本体の側面を構成する側面部材と、
前記棺本体の底面を構成する底面部材と、を接着して構成されている、
ことを特徴とする請求項１または２記載のペット用棺。
【請求項４】
前記棺本体は、側面を構成する４つのサイド面と、底面と、を含んで構成されるとともに、前記４つのサイド面による平面視ロ形形状の開口を有し、
前記４つのサイド面が一枚板形状を構成する、折り畳まれた保管状態から、前記４つのサイド面が平面視ロ形形状となる使用状態とするときに、
前記４つのサイド面を前記ロ形形状とする操作と同時に前記底面が形成される構成を有している、
ことを特徴とする請求項１から３のいずれかに記載のペット用棺。
【考案の詳細な説明】
【技術分野】
【０００１】
本考案は、ペット用棺に関する。さらに詳しくは、ペットとして接してきた動物を火葬するに際して用いるペット用棺に関する。
【背景技術】
【０００２】
我が国では、広く多くの家庭において犬や猫、鳥類、げっ歯類といったペットが飼われている。特に、核家族、単家族人口の増加にともない、近年ではペットと共に暮らす人々の数が増えてきている。これは、ペットと暮らすことで、気持ちが和み、心が癒されるからである。このように長年家族の一員として生活を共にし、絆が強くなっているペットについては、亡くなった際に、人間と同じく火葬を行って弔うことが一般的となっている。
【０００３】
特許文献１には、段ボール製のペット用棺が開示されている。このペット用棺は、その原材料を特定することで古紙中の灰分を減らし、火葬時間を短縮しながら遺骨以外に灰がほとんど残らないようにできる。また、段ボール製の棺は、木製の棺と比較して重量が非常に軽いという利点がある。
【０００４】
しかるに、ペットが納められた棺を家の中から搬送車へ移す際等に雨が降っていると、棺が段ボール製の場合、水分で段ボールのシートが柔らかくなるという問題がある。また、ペットが棺に納められてから火葬するまでは、遺骸が腐乱するのを防止するためにドライアイスなどを用いる必要があり、結露等によっても、段ボールのシートが柔らかくなるという問題がある。特に近年、飼い主の、かけがえのないペットを失った悲嘆を和らげ、慰めるために、ペットが亡くなってから火葬にするまでの時間を長くする場合があり、湿気に対する耐久性が求められている。
加えて、段ボール製の棺は非常に軽いため、搬送に対して特に配慮することがなかったが、飼い主一人で持ち上げたりする場合に、落下することを完全に防止できないという問題がある。
【先行技術文献】
【特許文献】
【０００５】
【特許文献１】特開２０１１−１１０１２５号公報
【考案の概要】
【考案が解決しようとする課題】
【０００６】
本考案は上記事情に鑑み、ペットとして接してきた動物を火葬するに際して用いる段ボール製棺であって、湿気に対する耐久性が高いペット用棺を提供することを目的とする。
【課題を解決するための手段】
【０００７】
第１考案のペット用棺は、開口を有する棺本体と、前記開口を塞ぐ棺用ふたと、を含んで構成されている段ボール製棺であって、前記棺本体および前記棺用ふたの少なくとも一方が、ウレタン製樹脂塗料により塗装されていることを特徴とする。
第２考案のペット用棺は、第１考案において、前記棺本体の側面には、持ち上げ用の手掛凹部が設けられていることを特徴とする。
第３考案のペット用棺は、第１考案または第２考案において、前記棺本体は、前記棺本体の側面を構成する側面部材と、前記棺本体の底面を構成する底面部材と、を接着して構成されていることを特徴とする。
第４考案のペット用棺は、前記棺本体は、側面を構成する４つのサイド面と、底面と、を含んで構成されるとともに、前記４つのサイド面による平面視ロ形形状の開口を有し、前記４つのサイド面が一枚板形状を構成する、折り畳まれた保管状態から、前記４つのサイド面が平面視ロ形形状となる使用状態とするときに、前記４つのサイド面を前記ロ形形状とする操作と同時に前記底面が形成される構成を有していることを特徴とする。
【考案の効果】
【０００８】
第１考案によれば、棺本体等が、段ボール製であることから、棺の重量を軽くすることができるとともに、火葬の時間を短縮できる。また、棺本体等が、ウレタン製樹脂塗料により塗装されていることにより、降雨や結露等により段ボールのシートが柔らかくなるのを防止できる。
第２考案によれば、棺本体の側面には、持ち上げ用の手掛凹部が設けられていることにより、棺を一人で搬送する場合でも、搬送を容易に行うことができ、落下などを防止しやすくなる。
第３考案によれば、棺本体が、側面部材と底面部材とを接着して構成されていることにより、側面部材の底側に手掛凹部を設けても、棺本体の底側を閉じられた空間にできるので、冷気が失われるのを抑制できる。また、手掛凹部など棺を持ち上げる際に把持する部分を、側面部材と底面部材とを合わせた厚みとできるので、この点で耐久性が向上する。
第４考案によれば、一枚板形状の折り畳まれた保管状態から使用状態とするときに、４つのサイド面をロ形形状とする操作と同時に底面が形成される構成を有していることにより、１つの操作で棺本体を組み上げることができる。
【図面の簡単な説明】
【０００９】
【図１】本考案の実施形態に係るペット用棺の使用説明図である。
【図２】図１のペット用棺の棺本体の内部の状態を示す平面図である。
【図３】図１のペット用棺の棺本体を構成する底面部材の組立方法を示す斜視図である。
【図４】図１のペット用棺の棺本体の底面図である。
【考案を実施するための形態】
【００１０】
つぎに、本考案の実施形態を図面に基づき説明する。
図１には、本考案の実施形態に係るペット用棺１０の使用説明図を示す。図１は、ペット用棺１０を構成する棺本体２１から棺用ふた１１を外した状態を、斜視図で示している。ペット用棺１０は、開口を有する棺本体２１と、この開口を塞ぐ棺用ふた１１とを含んで構成されており、棺本体２１と、棺用ふた１１は段ボール製である。
【００１１】
本実施形態に係るペット用棺１０は、棺本体２１および棺用ふた１１の外面がウレタン樹脂塗料により塗装されている。本実施形態では、棺本体２１と棺用ふた１１の両方が塗装されているが、少なくとも棺用ふた１１および棺本体２１のいずれかが塗装されている必要がある。また、棺本体２１の棺用ふた１１の内側に塗装することもできる。塗装のデザインは特に限定されず、また色彩も特に限定されない。ただし、デザインや色彩は、華美になりすぎない必要がある。
【００１２】
棺本体２１等が、段ボール製であることから、棺全体の重量を軽くすることができるとともに、火葬の時間を短縮できる。また、棺本体２１等が、ウレタン製樹脂塗料により塗装されていることにより、通常の段ボール印刷したものに比べて、降雨があっても水分がしみこむことがない。また、結露により段ボールのシートが柔らかくなるのを防止できる。
【００１３】
本実施形態に係るペット用棺１０の棺用ふた１１には、ペット用棺１０の中に納められたペットを見るための開口窓１２と、この開口窓１２を閉じるための扉１３とが設けられている。飼い主は、扉１３を開くことで、開口窓１２から、ペットを見ることができる。
【００１４】
本実施形態では、棺本体２１の側面である４つのサイド面２２ａ〜２２ｄの底面側には、持ち上げ用の手掛凹部２５がそれぞれ設けられている。本実施形態では、手掛凹部２５は、４つのサイド面２２ａ〜２２ｄすべてに設けられているが、特にこれに限定されるものではなく、２つの対向する側面に設けることもできる。また、本明細書では、略直方体のペット用棺１０について説明しているが、扁平な円柱形状などの形状であった場合、側面のいずれかに手掛凹部２５が設けられていれば問題ない。なお、手掛凹部２５の他に側面に手掛孔を複数設けることも可能である。
【００１５】
棺本体２１の側面２２には、持ち上げ用の手掛凹部２５が設けられていることにより、棺を一人で搬送する場合でも、搬送を容易に行うことができ、落下などを防止しやすくなる。
【００１６】
図２から図４を用いて、本実施形態の棺本体２１の組立方法を説明する。図２は、本実施形態に係るペット用棺１０を構成する棺本体２１の内部の状態を示す平面図、図３は、棺本体２１の組立方法を示す斜視図、図４は、棺本体２１の底面図である。
【００１７】
図３、図４に示すように、棺本体２１は、底面を構成するための底面部材２３と、４つのサイド面２２ａ、２２ｂ、２２ｃ、２２ｄをその順に並べて構成されている側面部材２２と、を接着して構成されている。図３では、側面部材２２を、仮想線の２点破線で表し、底面部材２３を実線で表している。側面部材２２の内側には、底面部材２３が接着剤で接着されている。また、底面部材２３の接着シート２３ｅは、ペット用棺１０の下方向に向けて折曲げられているので、手掛凹部２５の部分は、側面部材２２と底面部材２３とを合わせた厚みとすることができる。
【００１８】
底面を構成するための底面部材２３が、側面部材２２に対して別途設けられ、棺本体２１が側面部材２２と底面部材２３とを接着して構成されていることにより、側面部材２２の底側に手掛凹部２５を設けても、棺本体２１の底側を閉じられた空間にできるので、ドライアイスの冷気が失われるのを抑制できる。また、手掛凹部２５など棺を持ち上げる際に把持する部分を、側面部材２２と底面部材２３とを合わせた厚みとできるので、この点で耐久性が向上する。
【００１９】
底面部材２３は、側面部材２２と接着するための接着シート２３ｅと、この接着シート２３ｅの一辺側に順に並べて設けられている第１底面シート２３ａ、第２底面シート２３ｂ、第３底面シート２４ｃ、第４底面シート２３ｄを含んで構成されている。この構成は、ＪＩＳ  Ｚ  １５０７（段ボール箱の形式）のコード番号０７１２の底部分の展開図と同じ構成である。この場合、図２の紙面上、第１底面シート２３ａの下側と、第３底面シート２３ｃの上側は、棺本体２１の開口側に向けて山折りとなる折り目が設けられている。そして、第１底面シート２３ａと第４底面シート２３ｄとの重なり部分は接着され、第３底面シート２３ｃと第２底面シート２３ｂとの重なり部分も接着されている。
【００２０】
上記のような構成を採用した場合、例えばサイド面２２ａ、２２ｂを略一つの平面となるようにし、サイド面２２ｃ、２２ｄを略一つの平面となるようにした状態（本原稿において、この状態を「保管状態」と称する）、すなわち側面部材を折り畳んで一枚板形状を構成した場合、第１底面シート２３ａと第２底面シート２３ｂとは、略１つの平面を形成し、第３底面シートと第４底面シート２３ｄとは、略１つの平面を形成する。
【００２１】
そして、棺本体２１のサイド面２２ａ、２２ｂ、２２ｃ、２２ｄを開いて、平面視でロ形形状の開口を有する状態（図３に示す状態、本原稿においてこの状態を「使用状態」と称する）とする操作を行う際には、図３で示すように、同時に第１底面シート２３ａと第３底面シート２３ｃの切欠き部２６を嵌め合わせることで、底面を形成する。
【００２２】
一枚板形状の折り畳まれた保管状態から使用状態とするときに、４つのサイド面２２ａ〜２２ｄをロ形形状とする操作と同時に底面が形成される構成を有していることにより、１つの操作で棺本体２１を組み上げることができる。  
【符号の説明】
【００２３】
１０  ペット用棺
１１  棺用ふた
２１  棺本体
２２  側面部材
２３  底面部材
２５  手掛凹部
【図１】
0003211357.tif 000003
【図２】
0003211357.tif 000004
【図３】
0003211357.tif 000005
【図４】
0003211357.tif 000006